(57)【要約】【課題】別途に用意した冶具を使うこと、あるいは、包装袋にチャックや別部材を取り付けることなく、再封することができて、内容物の付着した注ぎ口を見えないように覆って再封できる包装袋を提供する。【解決手段】上部に天シール部１と、左右にサイドシール部２、３を設け、上部の一隅から広幅シール部４を設けて、サイドシール部２と広幅シール部４の間に、内容物を取り出すときに通る内容物流出路５を設け、内容物流出路と連通する内容物収納部６を広幅シール部の下方に設け、広幅シール部には内容物流出路に沿うように易切断線７が設けられた包装袋であって、易切断線を切断し、内容物流出路を切断するように開口して注ぎ口を形成させた内容物流出路を略直角に広幅シール部方向に折り曲げて、注出口を覆うように広幅シール部をその上下方向の中間部より折り曲げた状態で広幅シールを固定する係止機構８ａ、８ｂを設けた。【選択図】図１
2014125227.tif 000002
【特許請求の範囲】
【請求項１】
表フィルムと裏フィルムとを重ねあわせ、上部に天シール部と、左右にサイドシール部を設け、上部の一隅から広幅シール部を設けて、前記サイドシール部の一方と前記広幅シール部の間に、内容物を取り出すときに通る内容物流出路を設け、該内容物流出路と連通する内容物収納部を前記広幅シール部の下方に設け、前記広幅シール部には前記内容物流出路に沿うように易切断線が設けられた包装袋であって、
前記易切断線を切断し、前記内容物流出路を切断するように開口して注ぎ口を形成させた内容物流出路を略直角に前記広幅シール部方向に折り曲げて、前記注出口を覆うように前記広幅シール部をその上下方向の中間部より折り曲げた状態で広幅シールを固定する係止機構を設けたことを特徴とする包装袋。
【請求項２】
前記内容物流出路を略直角に折り曲げる為の折罫を、前記広幅シール部に設けたことを特徴とする請求項１に記載の包装袋。
【請求項３】
前記内容物流出路を略直角に折り曲げたときに、該内容物流出路の先端の注ぎ口を差し込むスリットを前記広幅シール部に設けたことを特徴とする請求項１または２に記載の包装袋。
【発明の詳細な説明】
【技術分野】
【０００１】
本発明は、包装袋に関するものである。更に詳しくは再封機能を有する包装袋に関するものである。
【背景技術】
【０００２】
近年、食品などの内容物を収納するための容器として、各種の形態のものが使用されており、代表的なものとして、各種形状の軟包装袋、円筒状や外形が角柱状の紙製容器などがある。
【０００３】
紙製容器の場合は内容物を取り出した後、比較的容易に蓋などにより再封することができるが、包装袋の場合は、取り出した後、再封することが難しく、再封用の別途用意した冶具で、内容物取り出し用開口部を挟んで再封したりしている。
【０００４】
また、取り出し開口部の下の表フィルムと裏フィルムに雄型と雌型を有するプラスチック製のチャックをそれぞれ溶着して、チャック付包装袋とし、開封後はチャックを閉めて再封するようにしたものがある。
【０００５】
チャック付包装袋は、確実に再封できて便利であるが、嵌合させた雄型と雌型を有するプラスチック製のチャックテープを包装袋内に融着させなくてはならないので、工程が増え、また、融着不良が起きやすく、さらには、チャックテープ自体のコストが高いという問題があった。
【０００６】
また、一方、繰り返し屈伸可能な部材や、巻き込み、あるいは捩り込みの可能な部材を取り出し開口部に対し垂直・平行・斜めのいずれかの方向に、組み込んだり貼り付けたりして、閉口し、再封を可能にした袋があった（特許文献１）。
【０００７】
この袋についても、袋に部材を取り付けさせなくてはならないので、工程が増え、また、シール不良が起きやすく、問題があった。
【０００８】
一方、図７の包装袋では、内容物収納部６の上部に内容物流出路５が設けられていて、隣接する広幅シール部４が、ミシン目（易切断線７）によって、分離できるようになっている。広幅シール部４には、スリット１４が設けられている。
【０００９】
そして、ミシン目（易切断線７）で分離して、内容物流出路５のある部分を流出路側ノッチ１０から切断して注出口を設け、内容物を取り出した後、内容物流出路５のある部分を折り曲げてスリット１４に差し込んで係止部１７で係止し、再封するようになっている（特許文献２）。
【００１０】
この様にすると、冶具を使う、あるいは、包装袋にチャックや別部材を取り付けることなく、再封することができるが、内容物が内容物流出路５の先端の切断部分に付いたり、スリット１４に付いたりして、見栄えが悪く、また周囲を汚してしまう恐れがある。
【００１１】
公知文献を以下に示す。
【先行技術文献】
【特許文献】
【００１２】
【特許文献１】実用新案登録第３０４７８０２号公報
【特許文献２】実開昭６１−１０７７４１号公報
【発明の概要】
【発明が解決しようとする課題】
【００１３】
本発明は上記した事情に鑑みてなされたもので、別途に用意した冶具を使うこと、あるいは、包装袋にチャックや別部材を取り付けることなく、再封することができて、内容物の付着した注ぎ口を見えないように覆って再封できる包装袋を提供することを課題とする。
【課題を解決するための手段】
【００１４】
本発明の請求項１に係る発明は、表フィルムと裏フィルムとを重ねあわせ、上部に天シール部と、左右にサイドシール部を設け、上部の一隅から広幅シール部を設けて、前記サイドシール部の一方と前記広幅シール部の間に、内容物を取り出すときに通る内容物流出路を設け、該内容物流出路と連通する内容物収納部を前記広幅シール部の下方に設け、前記広幅シール部には前記内容物流出路に沿うように易切断線が設けられた包装袋であって、
前記易切断線を切断し、前記内容物流出路を切断するように開口して注ぎ口を形成させた内容物流出路を略直角に前記広幅シール部方向に折り曲げて、前記注出口を覆うように前記広幅シール部をその上下方向の中間部より折り曲げた状態で広幅シールを固定する係止機構を設けたことを特徴とする包装袋である。
【００１５】
本発明の請求項２の発明は、前記内容物流出路を略直角に折り曲げる為の折罫を、前記広幅シール部に設けたことを特徴とする請求項１に記載の包装袋である。
【００１６】
本発明の請求項３の発明は、前記内容物流出路を略直角に折り曲げたときに、該内容物流出路の先端の注ぎ口を差し込むスリットを前記広幅シール部に設けたことを特徴とする請求項１または２に記載の包装袋である。
【発明の効果】
【００１７】
本発明の包装袋は、別途に用意した冶具を使うこと、あるいは、包装袋にチャックや別部材を取り付けることなく、再封することができて、内容物の付着した注ぎ口を見えないように覆って再封することができる。
【図面の簡単な説明】
【００１８】
【図１】本発明の包装袋の一例を模式的に示した説明図である。
【図２】本発明の包装袋の一例で内容物流出路を折り曲げた状態を模式的に示した説明図である。
【図３】本発明の包装袋の一例で注出口を覆うように広幅シール部を折り曲げた状態を模式的に示した説明図である。
【図４】本発明の包装袋の他の例を模式的に示した説明図である。
【図５】本発明の包装袋の他の例で内容物流出路を折り曲げた状態を模式的に示した説明図である。
【図６】本発明の包装袋の更に他の例を模式的に示した説明図である。
【図７】従来の包装袋の一例を模式的に示した平面図である。
【発明を実施するための形態】
【００１９】
以下本発明を実施するための形態につき説明する。
図１は、本発明の包装袋の一例を模式的に示した説明図、図２は、本発明の包装袋の一例で内容物流出路を折り曲げた状態を模式的に示した説明図、図３は、本発明の包装袋の一例で注出口を覆うように広幅シール部を折り曲げた状態を模式的に示した説明図である。
【００２０】
本例の包装袋１００は、図１のように、表フィルムと裏フィルムとを重ねあわせて、上部に天シール部１と、左右にサイドシール部２、３が設けられている。そして、上部のサイドシール部３側の一隅から広幅シール部４を設けて、サイドシール部２と広幅シール部４の間に、内容物を取り出すときに通る内容物流出路５を設けている。また、内容物を収納する内容物収納部６を広幅シール部４の下方に設け、広幅シール部４には内容物流出路５に沿うように易切断線７が設けられている。
【００２１】
本例の易切断線７は、Ｙの字状の貫通した切れ目を、Ｙの字の下の部分がＹの字の上の二股の間を指すように、線状に並べたものである。これに限らず、破線や点線状の貫通孔を並べたミシン目であっても良い。また、易切断線７の先端には切断停止部が設けられている。
【００２２】
広幅シール部４には、係止機構が上方の舌片状切り込み８ａと、下方の直線状切り込み８ｂが設けられている。また、舌片状切り込み８ａと直線状切り込み８ｂの中間部には、広幅シール部４を折り曲げやすくするための、折罫線９が設けられている。
【００２３】
本例では、係止機構が上方の舌片状切り込み８ａと、下方の直線状切り込み８ｂでなっているが、逆に、上方の直線状切り込み８ｂと、下方の舌片状切り込み８ａとからなっていてもよいし、また別の係止機構になっていても良い。要は広幅シール部４を折り曲げた状態で係止できればよい。
【００２４】
また、折罫線９は、本例においては重ねあわせた表フィルムと裏フィルムを、表側や裏側に直線状に盛り上げた２本の盛り上げ線で出来ていて、折り曲げやすくしている。これに限らず、破線状などの断続する切れ目によって、折罫線９を設けても良いし、また、別の方法で設けても良い。
【００２５】
サイドシール部２の上部には、内容物流出路５を切断して注出口を設けるための流出路側ノッチ１０が設けられている。また、易切断線７の下端付近から、サイドシール部２の方向で下方に向かう斜め折罫線１１が設けられている。本例では、斜め折罫線１１は１本の盛り上げ線からなっているが、これに限るものではない。この斜め折罫線１１は、内容物流出路５を略直角に広幅シール部４方向に折り曲げやすくする為のものでる。
【００２６】
また、包装袋１００の下方のサイドシール部２、３には、下側ノッチ１２、１２が設けられている。この下側ノッチ１２、１２は、一度に全部の内容物を出すときに、内容物流出路５を通して出す代わりに用いる。
【００２７】
この包装袋１００から内容物流出路５を通して内容物を注出するには、易切断線７を切断し、サイドシール部２の上部の流出路側ノッチ１０から易切断線７方向に、内容物流出路５を切断するように切り取り、注出口１３を形成させ、内容物収納部６の内容物を、内容物流出路５を通して注出口１３より注出する。
【００２８】
内容物を注出した包装袋１００を再封するには、図２のように、内容物流出路５の部分を斜め折罫線１１から略直角に広幅シール部４方向に折り曲げる。
【００２９】
この状態から、図３のように、注出口１３が隠れるように、広幅シール部４を折罫線９から折り曲げる。そして、係止機構の舌片状切り込み８ａを舌片状の先端から直線状切り込み８ｂに差し込んで係止する。
【００３０】
この様にして再封することが出来るので、別途に用意した冶具を使うこと、あるいは、
包装袋にチャックや別部材を取り付けることが不要である。また、内容物の付着した注ぎ口１３を見えないように覆って再封するので、見た目もきれいで、ほかのものに内容物を付着させて汚すことも防げる。
【００３１】
この再封した包装袋１００から、また内容物を注出するには、係止機構の係止をはずして、折り曲げられた内容物流出路５の部分を延ばして注出することが出来る。また、係止機構の係止をはずさなくても、折罫線９から折り曲げられた広幅シール部４の間から、内容物流出路５の部分を抜き出して延ばし、内容物を抽出することが出来る。
【００３２】
この場合、再度再封するには、折罫線９から折り曲げられた広幅シール部４の間に内容物流出路５の部分を差し込んで、内容物流出路５の部分を斜め折罫線１１から略直角に折り曲げるだけでよく、再度の再封が容易にできる。
【００３３】
このように、係止機構の係止をはずさず、広幅シール部４の間に内容物流出路５の部分を差し込むようにするときは、内容物流出路５の部分を先細りに形成しておいても良い。また、内容物流出路５を先細りにしておいて、内容物の流量を加減することも出来る。
【００３４】
包装袋１００を製造するには、表フィルムと裏フィルムとを重ねあわせ、内容物流出路５と内容物収納部６にあたる部分が窪んで、シールされないようにした熱シール板にて、天シール部１とサイドシール部２、３と広幅シール部４をシールする。
【００３５】
次に、折罫線９と斜め折罫線１１を設ける。これらは、雄型と雌型で挟み、押圧して設ける。このとき、雄型と雌型のいずれか一方または両方を加温して行うことによって、くっきりと盛り上がった盛り上げ線として設けることが出来る。
【００３６】
そして、抜き型によって押圧し、係止機構の舌片状切り込み８ａと直線状切り込み８ｂ、および、易切断線７を入れると同時に、流出路側ノッチ１０と下側ノッチ１２、１２を含めた包装袋の外形線に打ち抜く。これによって、底シールが密封されていない包装袋１００が製造される。そして、密封されていない底シール部より内容物を充填して、底シール部をシールすることによって、内容物が充填された包装袋１００が製造される。
【００３７】
次に本発明の包装袋の他の例について説明する。
図４は、本発明の包装袋の他の例を模式的に示した説明図、図５は、本発明の包装袋の他の例で内容物流出路を折り曲げた状態を模式的に示した説明図である。
【００３８】
本例の包装袋２００は、図４のように、広幅シール部に縦に伸びるスリット１４が設けられている。これ以外の部分は、包装袋１００と同じである。
【００３９】
この包装袋２００から内容物を注出するには、包装袋１００と同様に、易切断線７を切断し、サイドシール部２の上部の流出路側ノッチ１０から易切断線７方向に、内容物流出路５を切断するように切り取り、注出口１３を形成させ、内容物収納部６の内容物を、内容物流出路５を通して注出口１３より注出する。
【００４０】
内容物を注出した包装袋２００を再封するには、内容物流出路５の部分を斜め折罫線１１から略直角に広幅シール部４方向に折り曲げ、図５のように、内容物流出路５の部分の先端からこのスリット１４に差し込む。
【００４１】
そして包装袋１００と同様に、注出口１３が隠れるように、広幅シール部４を折罫線９から折り曲げる。そして、係止機構の舌片状切り込み８ａを舌片状の先端から直線状切り込み８ｂに差し込んで係止する。
【００４２】
このように、スリット１４を設けて、内容物流出路５の部分を先端から差し込んでおいて、更に、広幅シール部４を折罫線９から折り曲げて係止機構で係止すれば、確実に内容物流出路５の部分を略直角に折り曲げ固定することが出来る。
【００４３】
次に本発明の包装袋の更に他の例について説明する。
図６は、本発明の包装袋の更に他の例を模式的に示した説明図である。
【００４４】
本例の包装袋３００は、図６のように、底テープ１５を２つ折りにして、２つ折りにした底テープ１５の折り部を上にして、重ねた表フィルムと裏フィルムとの間の下端部に挟み込み、部分的に底テープの側部を打ち抜いておき、表フィルムと裏フィルムをサイドシール部でシールした接合部１６を設けて、底テープと表フィルム、および底テープと裏フィルムを側部と底部でシールして自立することが出来るようにしたいわゆるスタンディングパウチである。これ以外の部分は、包装袋１００と同じである。
【００４５】
このように、スタンディングパウチにしてあるので、再封した状態で立てておけるので、スペースがとられず、保管が容易である。また、店舗においては、立てておけるので陳列がしやすく、目立ちやすい。
【００４６】
本発明の本発明の包装袋で用いられる表フィルムと裏フィルムあるいは底テープ１５は、基材とシーラントフィルムが積層された積層フィルムからなっている。
【００４７】
基材としては、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。また、紙を基材として用いても良い。
【００４８】
基材を多層にして設けても良い。多層の基材としては、外層側から、ポリエチレンテレフタレート／ナイロン、ナイロン／ポリエチレンテレフタレート、ナイロン／無機酸化物蒸着ポリエチレンテレフタレート、ナイロン／アルミニウム蒸着ポリエチレンテレフタレート、ナイロン／アルミニウム箔、ポリエチレンテレフタレート／アルミニウム箔などの積層したフィルムを用いることができる。
【００４９】
シーラントフィルムには、熱溶融性樹脂が用いられる。ポリプロピレンや、低密度ポリエチレン、直鎖状低密度ポリエチレン、あるいは、酸変性ポリエチレンなどが用いられる。特に、直鎖状低密度ポリエチレンが好ましく用いられる。
【００５０】
積層フィルムの積層方法は、ドライラミネート法で行っても良い。また、サンドイッチラミネート法で行ってもかまわない。また、場合によっては、シーラントフィルムを押出機から製膜しながら押出して、基材に貼り合わせる押出ラミネート法で行っても良い。
【００５１】
また、絵柄印刷層を基材フィルムの裏面に設けることができる。絵柄印刷層を設ける印刷方式は、特に限定するものではないが、通常、グラビア印刷、あるいは、フレキソ印刷が用いられる。
【００５２】
本発明の包装袋は、以上のように、別途に用意した冶具を使うこと、あるいは、包装袋にチャックや別部材を取り付けることなく、再封することができて、内容物の付着した注ぎ口を見えないように覆って再封することができる。
【符号の説明】
【００５３】
１００、２００、３００・・・包装袋
１・・・天シール部
２、３・・・サイドシール部
４・・・広幅シール部
５・・・内容物流出路
６・・・内容物収納部
７・・・易切断線
８ａ・・・舌片状切り込み
８ｂ・・・直線状切り込み
９・・・折罫線
１０・・・流出路側ノッチ
１１・・・斜め折罫線
１２、１２・・・下側ノッチ
１３・・・注出口
１４・・・スリット
１５・・・底テープ
１６・・・接合部
１７・・・係止部
【図１】
2014125227.tif 000003
【図２】
2014125227.tif 000004
【図３】
2014125227.tif 000005
【図４】
2014125227.tif 000006
【図５】
2014125227.tif 000007
【図６】
2014125227.tif 000008
【図７】
2014125227.tif 000009